(57)【要約】【課題】  光ディスクドライバのレンズホルダーの提供。【解決手段】  対物レンズ駆動装置中のレンズホルダーの両側より複数の挟持固定柱及び複数のソルダーロッドが延伸され、該挟持固定柱が挟持凹溝を提供し、並びに該挟持凹溝内にＵＶ樹脂を利用して強靱な導線が固定されるか、或いは金属界面剤が塗布され、並びに該金属界面剤により強靱な導線が該挟持凹溝内にソルダリングされ、別にソルダーポイント柱が強靱な導線と光学読み書きヘッドのコイルソルダーポイントに電気接続の目的を達成させ、該強靱な導線の別端が基板に接続され、並びに電気的に後方の信号処理回路に接続される。【選択図】        図４
2006318615.tif 000002
【特許請求の範囲】
【請求項１】
光ディスクドライバのレンズホルダーにおいて、
対物レンズ駆動装置と、
該対物レンズ駆動装置の後方に配置され、処理回路を包含する基板と、
レンズホルダーであって、該対物レンズ駆動装置内に配置され、対物レンズが放置され、内部に少なくとも一つの制御コイルが設けられ、該レンズホルダーの両側より複数の挟持固定柱が延伸され、該挟持固定柱が挟持凹溝を提供する、上記レンズホルダーと、
複数の強靱な導線であって、該レンズホルダーの両側に配置され、該基板より該挟持固定柱に延伸され、該挟持固定柱の挟持凹溝内に挟持され、ＵＶ樹脂による接合により該強靱な導線が制御回路と電気的に接続される、上記複数の強靱な導線と、
を包含することを特徴とする、光ディスクドライバのレンズホルダー。
【請求項２】
請求項１記載の光ディスクドライバのレンズホルダーにおいて、
レンズホルダーの両側面に配置されて強靱な導線と制御コイル間のソルダリングによる電気的接続に供される複数のソルダーポイント柱を更に具えたことを特徴とする、光ディスクドライバのレンズホルダー。
【請求項３】
光ディスクドライバのレンズホルダーにおいて、
対物レンズ駆動装置と、
該対物レンズ駆動装置の後方に配置され、処理回路を包含する基板と、
レンズホルダーであって、該対物レンズ駆動装置内に配置され、対物レンズが放置され、内部に少なくとも一つの制御コイルが設けられ、該レンズホルダーの両側より複数の挟持固定柱が延伸され、該挟持固定柱が挟持凹溝を提供する、上記レンズホルダーと、
複数の強靱な導線であって、該レンズホルダーの両側に配置され、該基板より該挟持固定柱に延伸され、該挟持固定柱の挟持凹溝内に挟持され、該挟持凹溝の内側に金属界面剤が塗布され、該金属界面剤を利用して強靱な導線が挟持凹溝内にソルダリング固定され、強靱な導線が制御コイルと電気的に接続される、上記複数の強靱な導線と、
を包含することを特徴とする、光ディスクドライバのレンズホルダー。
【請求項４】
請求項３記載の光ディスクドライバのレンズホルダーにおいて、
レンズホルダーの両側面に配置されて強靱な導線と制御コイル間のソルダリングによる電気的接続に供される複数のソルダーポイント柱を更に具えたことを特徴とする、光ディスクドライバのレンズホルダー。
【発明の詳細な説明】
【技術分野】
【０００１】
本発明は一種の光ディスクドライバのレンズホルダーの構造に係り、特に、対物レンズ駆動装置中のレンズホルダー内制御コイルソルダーポイントを簡易化して、作業時間を節約し、組立を容易とし、製造コストダウンを達成できるようにした構造に関する。
【背景技術】
【０００２】
光ディスク（ＶＣＤ／ＤＶＤ）は現在最も普及した光学データ保存媒体とされ、その具備する製造コストが低く、容量が大きく、データ保存期限が長く、収納が容易である等の長所により、現在最も優れたデジタルデータ保存方式とされ、またそれは光学波長の物理原理を利用してデータを読み書きするため、読み書き設備と保存媒体との間が直接接触不要でデータを読み書きできる特性を有している。
【０００３】
また、光ディスクデータ読み書き設備内の最も重要な部品は光学読み書きヘッドとされ、これにより光学読み書きヘッドの載置設計は光ディスク読み書き設備中、最も重要な課題とされる。図１は光ディスク読み書きヘッドの立体分解図であり、そのうち、光ディスク読み書きヘッド１中には対物レンズ駆動装置１０が設けられ、該対物レンズ駆動装置１０の上にレンズホルダー１２が設けられ、該レンズホルダー１２に対物レンズ１１が配置され、こうして光ディスク読み書きヘッド１が構成されている。
【０００４】
周知の光ディスク読み書きヘッド１中のレンズホルダー１２は複数の強靱な導線１３により後方の信号処理基板１４に接続され、並びにその他の部品から独立し、その目的は光ディスクの読み書き時に一定の振動が発生しうるため、レンズホルダー１２中の制御コイル（図示せず）を駆動することにより、レンズホルダー１２に左右上下の微幅揺動を発生させ、レンズホルダー１２に光ディスクの揺動に従い順調に光ディスク上のデータを読み取らせるためである。
【０００５】
このため、該強靱な導線１３は二つの重要な機能を有し、その一つは後続信号処理基板１４の信号を制御コイル１７に伝えることであり、もう一つはレンズホルダー１２の支持を提供してそれを上下左右に揺動させられるようにすることである。そのうち、レンズホルダー１２は耐震で、強固で、製造コストが低廉である特性を達成する必要があり、また強靱な導線１３は信号伝送の機能を具備するため、読み取り専用光ディスク読み取り設備（ＣＲ−ＲＯＭ、ＤＶＤ−ＲＯＭ）上の強靱な導線１３は４本あり、もし光ディスク読み書き設備（ＣＲ−Ｒ／ＲＷ、ＤＶＤ±Ｒ／ＲＷ／ＲＡＭ）上には通常６本の強靱な導線１３がある。本発明は４本の強靱な導線１３を有する光ディスク読み書きヘッドを実施例として説明する。
【０００６】
図２及び図３は周知の対物レンズ駆動装置の立体構造図及び局部側面図である。該対物レンズ駆動装置１０はレンズホルダー１２と信号処理基板１４を具えている。そのうち、該レンズホルダー１２は対物レンズ１１を載置し、且つ該レンズホルダー１２の両側に延伸柱１６が設けられ、該延伸柱１６は小塊のＰＣＢ基板１５を挟持し、該延伸柱１６に保留孔（図示せず）が設けられて強靱な導線１３が通されて該強靱な導線１３が該延伸柱１６に固定され、該強靱な導線１３は一端が該延伸柱１６に接続され、別端が該信号処理基板１４に接続されている。
【０００７】
周知の光ディスクドライバのレンズホルダー１２は該強靱な導線１３の材質の高い湾曲度を具えた特性により、該レンズホルダー１２の揺動に影響を与えず、且つ強靱な導線１３が導体材料とされるため、後方の信号処理基板１４の制御コイルの信号をコイルの経路に伝送し、且つ周知の構造は強靱な導線１３と制御コイル１７の接続の方式が、ＰＣＢ基板１５が、強靱な導線１３と制御コイル１７の間に置かれ、該ＰＣＢ基板１５上の銅箔を利用して強靱な導線１３と制御コイル１７が一体にソルダリングされ、電気的接続を完成するものとされる。
【０００８】
周知の構造はＰＣＢ基板１５が強靱な導線１３と制御コイル１７の間に置かれ、且つこのＰＣＢ基板１５が電気接続の媒体とされ、これによりその構造は比較的複雑であり、加工に時間がかかり、構造が複雑で、組立が容易でなく、製造コストがアップする欠点がある。また周知の構造は複雑であるため修理上の不便を形成する。
【発明の開示】
【発明が解決しようとする課題】
【０００９】
ゆえに本発明は上述の既存の光ディスクドライバのレンズホルダーの欠点に対して、該欠点を改善した光ディスクドライバのレンズホルダーを提供するものである。
【００１０】
即ち本発明の主要な目的は、一種の光ディスクドライバのレンズホルダーを提供することにあり、それは、レンズホルダーの両側より複数の挟持固定柱と複数のソルダーポイント柱が延伸されてレンズホルダーと後方の電気回路の接続を提供するものとする。
【００１１】
本発明の次の目的は、一種の光ディスクドライバのレンズホルダーを提供することにあり、それは、周知の余分のＰＣＢ基板の代わりに挟持固定柱内に設計された挟持凹溝構造により強靱な導線を挟持することにより、製造コストを減らせるものとする。
【００１２】
本発明の別の目的は、一種の光ディスクドライバのレンズホルダーを提供することにあり、それはレンズホルダーの両側より延伸されたソルダーポイント柱によりコイルと強靱な導線を直接一体にソルダリングする構造により、簡単な方式で制御コイルと強靱な導線を接続できるようにし、周知の組立プロセスを減らし、有効に加工時間を減らせるようにしたものとする。
【００１３】
上述の目的を達成するため、本発明は一種の光ディスクドライバのレンズホルダーを提供し、それは、レンズホルダーの両側より複数の挟持固定柱及び複数のソルダーロッドが延伸され、該挟持固定柱が挟持凹溝を提供し、並びに該挟持凹溝内にＵＶ樹脂を利用して強靱な導線が固定されるか、或いは金属界面剤が塗布され、並びに該金属界面剤により強靱な導線が該挟持凹溝内にソルダリングされ、別にソルダーポイント柱が強靱な導線と光学読み書きヘッドのコイルソルダーポイントに電気接続の目的を達成させ、該強靱な導線の別端が基板に接続され、並びに電気的に後方の信号処理回路に接続される。
【課題を解決するための手段】
【００１４】
請求項１の発明は、光ディスクドライバのレンズホルダーにおいて、
対物レンズ駆動装置と、
該対物レンズ駆動装置の後方に配置され、処理回路を包含する基板と、
レンズホルダーであって、該対物レンズ駆動装置内に配置され、対物レンズが放置され、内部に少なくとも一つの制御コイルが設けられ、該レンズホルダーの両側より複数の挟持固定柱が延伸され、該挟持固定柱が挟持凹溝を提供する、上記レンズホルダーと、
複数の強靱な導線であって、該レンズホルダーの両側に配置され、該基板より該挟持固定柱に延伸され、該挟持固定柱の挟持凹溝内に挟持され、ＵＶ樹脂による接合により該強靱な導線が制御回路と電気的に接続される、上記複数の強靱な導線と、
を包含することを特徴とする、光ディスクドライバのレンズホルダーとしている。
請求項２の発明は、請求項１記載の光ディスクドライバのレンズホルダーにおいて、
レンズホルダーの両側面に配置されて強靱な導線と制御コイル間のソルダリングによる電気的接続に供される複数のソルダーポイント柱を更に具えたことを特徴とする、光ディスクドライバのレンズホルダーとしている。
請求項３の発明は、光ディスクドライバのレンズホルダーにおいて、
対物レンズ駆動装置と、
該対物レンズ駆動装置の後方に配置され、処理回路を包含する基板と、
レンズホルダーであって、該対物レンズ駆動装置内に配置され、対物レンズが放置され、内部に少なくとも一つの制御コイルが設けられ、該レンズホルダーの両側より複数の挟持固定柱が延伸され、該挟持固定柱が挟持凹溝を提供する、上記レンズホルダーと、
複数の強靱な導線であって、該レンズホルダーの両側に配置され、該基板より該挟持固定柱に延伸され、該挟持固定柱の挟持凹溝内に挟持され、該挟持凹溝の内側に金属界面剤が塗布され、該金属界面剤を利用して強靱な導線が挟持凹溝内にソルダリング固定され、強靱な導線が制御コイルと電気的に接続される、上記複数の強靱な導線と、
を包含することを特徴とする、光ディスクドライバのレンズホルダーとしている。
請求項４の発明は、請求項３記載の光ディスクドライバのレンズホルダーにおいて、
レンズホルダーの両側面に配置されて強靱な導線と制御コイル間のソルダリングによる電気的接続に供される複数のソルダーポイント柱を更に具えたことを特徴とする、光ディスクドライバのレンズホルダーとしている。
【発明の効果】
【００１５】
本発明は有効に周知のレンズホルダーの欠点を改善し、並びに有効な改良構造を提供し、加工時間の節約、構造の簡易化を達成し、組立が容易であり、製造コストをダウンでき、周知の設計とは異なり、全体の使用価値を高め、またその構造はその出願前に頒布された刊行物に未記載でまた公開使用されておらず、新規性を有している。
【発明を実施するための最良の形態】
【００１６】
本発明は一種の光ディスクドライバのレンズホルダーを提供し、それは、レンズホルダーの両側より複数の挟持固定柱及び複数のソルダーロッドが延伸され、該挟持固定柱が挟持凹溝を提供し、並びに該挟持凹溝内にＵＶ樹脂を利用して強靱な導線が固定されるか、或いは金属界面剤が塗布され、並びに該金属界面剤により強靱な導線が該挟持凹溝内にソルダリングされ、別にソルダーポイント柱が強靱な導線と光学読み書きヘッドのコイルソルダーポイントに電気接続の目的を達成させ、該強靱な導線の別端が基板に接続され、並びに電気的に後方の信号処理回路に接続される。
【実施例１】
【００１７】
図４、５及び図６を参照されたい。図４は本発明の立体図、図５は本発明の分解図、図６は本発明の局部側面図である。
【００１８】
上述の図に示されるように、本発明は対物レンズ駆動装置３１、レンズホルダー３２、複数の強靱な導線３３、及び、基板３４を包含し、そのうち、該レンズホルダー３２は前述の複数の強靱な導線３３を利用して基板３４に接続され、該基板３４は前述の強靱な導線３３を固定し並びに該強靱な導線３３の導電特性を利用して後方の基板３４の制御コイル信号をコイルに伝送する。
【００１９】
また、該強靱な導線３３は湾曲弾性の物理性質を具え、ゆえに、該レンズホルダー３２は可動の部品とされ、また該レンズホルダー３２に対物レンズ保留孔３２１が設けられて対物レンズ（図示せず）が放置され、これにより該レンズホルダー３２が保持されて可動の構造とされ、こうしてレンズホルダー３２の支持が提供されてその上下左右の揺動に便利とされる。
【００２０】
本発明はレンズホルダー３２の両側より複数の挟持固定柱３６と複数のソルダーポイント柱３５が延伸され、該挟持固定柱３６に挟持凹溝３７が設置され、並びに該挟持凹溝３７と該強靱な導線３３にＵＶ樹脂が塗布されて該強靱な導線３３の位置が固定される。
【００２１】
本発明はまた金属界面剤を使用可能であり、該金属界面剤は金属材質の物品と非金属材質の物品の接続に用いられ、該金属界面剤が挟持凹溝３７に塗布され、強靱な導線３３がソルダー方式で接続され、該挟持凹溝３７に強靱な導線３３が挟持され、並びに該挟持凹溝３７内側に塗布された金属界面剤により強靱な導線３３が該挟持凹溝３７内にソルダリングで固定される。
【００２２】
また本発明のレンズホルダー３２の両側より延伸されたソルダーポイント柱３５は強靱な導線３３と制御コイル（図示せず）のソルダーポイントを提供し、該制御コイルは対物レンズが読み書きするレーザー光のトラックサーチとフォーカシングを制御し、これにより経路を提供して制御コイル信号を後端より該制御コイルに伝送する必要があり、最良の伝送経路は即ちレンズホルダー３２に接続された強靱な導線３３とされ、該強靱な導線３３は導電体材料とされるため、レンズホルダー３２より延伸されたソルダーポイント柱３５により制御コイルと強靱な導線３３がソルダリングされて、最良の伝送経路の機能が完成する。
【００２３】
本発明は周知の光ディスクドライバ中のレンズホルダーの構造を改良し、即ち、その側辺より挟持固定柱３６と複数のソルダーポイント柱３５が延伸され、強靱な導線３３のみを利用してレンズホルダー３２の支持と信号伝送の機能を達成し、これにより周知の構造で使用される小塊ＰＣＢ基板による制御コイルの接続と強靱な導線の固定の方式を省略でき、また本発明の提供する構造は周知の構造よりも簡単で有効である。
【００２４】
以上の実施例は本発明の範囲を限定するものではなく、以上の実施例及び図面の記載に基づきなしうる細部の修飾或いは改変は、いずれも本発明の請求範囲に属するものとする。
【図面の簡単な説明】
【００２５】
【図１】周知の光ディスク読み書きヘッドの立体分解図である。
【図２】周知の対物レンズ駆動装置の立体構造図である。
【図３】周知の対物レンズ駆動装置の局部側面図である。
【図４】本発明の立体図である。
【図５】本発明の分解図である。
【図６】本発明の局部側面図である。
【符号の説明】
【００２６】
１０  対物レンズ駆動装置
１１  対物レンズ
１２  レンズホルダー
１３  強靱な導線
１４  信号処理基板
１５  ＰＣＢ基板
１６  延伸柱
１７  制御コイル
３１  対物レンズ駆動装置
３２  レンズホルダー
３２１  対物レンズ保留孔
３３  強靱な導線
３４  基板
３５  ソルダーポイント柱
３６  挟持固定柱
３７  挟持凹溝
【図１】
2006318615.tif 000003
【図２】
2006318615.tif 000004
【図３】
2006318615.tif 000005
【図４】
2006318615.tif 000006
【図５】
2006318615.tif 000007
【図６】
2006318615.tif 000008